【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
５０〜９９．８モル％の１種以上の非イオン性モノマー、０．１〜９．９モル％の１種以上のカチオン性又はアニオン性モノマー、及び０．１〜４９．９モル％の１種以上の下記式で示される双性イオン性モノマーを含む高分子量水溶性荷電ポリマー。
【化１】
2005511869.tif 000001
（ここで、Ｌ＋は
【化２】
2005511869.tif 000002
の基であり；
Ｌ−は
【化３】
2005511869.tif 000003
の基であり；
Ｗ＋は−Ｓ＋Ｒ３−又は−Ｎ＋Ｒ２Ｒ３−であり；
Ｗ−は
【化４】
2005511869.tif 000004
であり；
Ｚ−はＣＯ２−、ＳＯ３−、
【化５】
2005511869.tif 000005
であり；
Ｚ＋は−Ｎ＋Ｒ５Ｒ６Ｒ７−であり；
Ｒ１とＲ８はそれぞれ独立に水素原子又はメチルであり；
Ｒ２，Ｒ３，Ｒ４，Ｒ５，Ｒ６及びＲ７はそれぞれ独立に水素及びＣ１〜Ｃ４アルキルから選択され；
Ｙ１、Ｙ２及びＹ３はそれぞれ独立にＯ又はＮＲ２より選択され；
ｍは２又は３であり；
ｎは１〜５である。）
【請求項２】
前記カチオン性モノマーが、ジメチルアミノエチルアクリレート塩化メチル４級塩、ジアリルジメチルアンモニウムクロリド、（３−アクリルアミドプロピル）トリメチルアンモニウムクロリド、（３−メタクリルアミド）プロピルトリメチルアンモニウムクロリド、ジメチルアミノエチルメタクリレート塩化メチル４級塩、及びジメチルアミノエチルアクリレート塩化ベンジル４級塩からなる群より選択される、請求項１に記載のポリマー。
【請求項３】
前記アニオン性モノマーが、アクリルアミドプロパンスルホン酸、アクリル酸、メタクリル酸、モノアクリロキシエチルホスファート及びこれらのナトリウム塩からなる群より選択される、請求項１に記載のポリマー。
【請求項４】
９５〜９９．８モル％の非イオン性モノマー、４．９〜０．１モル％の双性イオン性モノマー及び４．９〜０．１モル％のカチオン性モノマーを含むことを特徴とする、請求項１に記載の高分子量水溶性ポリマー。
【請求項５】
９５〜９９．８モル％の非イオン性モノマー、４．９〜０．１モル％の双性イオン性モノマー及び４．９〜０．１モル％のアニオン性モノマーを含むことを特徴とする、請求項１に記載の高分子量水溶性ポリマー。
【請求項６】
前記非イオン性モノマーが、アクリルアミド、メタクリルアミド、Ｎ−メチルアクリルアミド、Ｎ，Ｎ−ジメチル（メタ）アクリルアミド、Ｎ−イソプロピル（メタ）アクリルアミド、Ｎ−（２−ヒドロキシプロピル）メタクリルアミド、Ｎ−メチロールアクリルアミド、Ｎ−ビニルホルムアミド、Ｎ−ビニルアセトアミド、Ｎ−ビニル−Ｎ−メチルアセトアミド、ポリ（エチレングリコール）（メタ）アクリレート、ポリ（エチレングリコール）モノメチルエーテルモノ（メタ）アクリレート、Ｎ−ビニル−２−ピロリドン、グリセロールモノ（（メタ））アクリレート）、２−ヒドロキシエチル（メタ）アクリレート、ビニルメチルスルホン、及び酢酸ビニルより選択される、請求項１に記載の高分子量水溶性ポリマー。
【請求項７】
前記非イオン性モノマーがアクリルアミド及びメタクリルアミドより選択されることを特徴とする、請求項１に記載の高分子量水溶性荷電ポリマー。
【請求項８】
前記非イオン性モノマーがアクリルアミドであり、前記双性イオン性モノマーが下記式で示されることを特徴とする、請求項１に記載の高分子量水溶性ポリマー。
【化６】
2005511869.tif 000006
【請求項９】
前記非イオン性モノマーがアクリルアミドであり、前記双性イオン性モノマーが下記式で示されることを特徴とする、請求項１に記載の高分子量水溶性ポリマー。
【化７】
2005511869.tif 000007
【請求項１０】
前記非イオン性モノマーがアクリルアミドであり、前記双性イオン性モノマーが下記式で示されることを特徴とする、請求項１に記載の高分子量水溶性ポリマー。
【化８】
2005511869.tif 000008
【請求項１１】
前記非イオン性モノマーがアクリルアミドであり、前記双性イオン性モノマーが、Ｎ，Ｎ−ジメチル−Ｎ−アクリロイルオキシエチル−Ｎ−（３−スルホプロピル）−アンモニウムベタイン、Ｎ，Ｎ−ジメチル−Ｎ−アクリルアミドプロピル−Ｎ−（２−カルボキシメチル）−アンモニウムベタイン、Ｎ，Ｎ−ジメチル−Ｎ−メタクリロイルオキシエチル−Ｎ−（３−スルホプロピル）−アンモニウムベタイン、Ｎ，Ｎ−ジメチル−Ｎ−メタクリルアミドプロピル−Ｎ−（３−スルホプロピル）−アンモニウムベタイン、２−（メチルチオ）エチルメタクリロイル−Ｓ−（スルホプロピル）−スルホニウムベタイン、２−［（２−アクリロイルエチル）ジメチルアンモニオ］エチル  ２−メチルホスファート、２−（アクリロイルオキシエチル）−２’−（トリメチルアンモニウム）エチル  ホスファート、及び［（２−アクリロイルエチル）ジメチルアンモニオ］メチルホスホン酸より選択されることを特徴とする、請求項１に記載の高分子量水溶性ポリマー。
【請求項１２】
前記非イオン性モノマーがアクリルアミドであり、前記双性イオン性モノマーが、Ｎ，Ｎ−ジメチル−Ｎ−アクリロイルオキシエチル−Ｎ−（３−スルホプロピル）−アンモニウムベタイン、Ｎ，Ｎ−ジメチル−Ｎ−アクリルアミドプロピル−Ｎ−（２−カルボキシメチル）−アンモニウムベタイン、Ｎ，Ｎ−ジメチル−Ｎ−メタクリロイルオキシエチル−Ｎ−（３−スルホプロピル）−アンモニウムベタイン、及びＮ，Ｎ−ジメチル−Ｎ−メタクリルアミドプロピル−Ｎ−（３−スルホプロピル）−アンモニウムベタインより選択されることを特徴とする、請求項１に記載の高分子量水溶性ポリマー。
【請求項１３】
前記非イオン性モノマーがアクリルアミドであり、前記双性イオン性モノマーがＮ，Ｎ−ジメチル−Ｎ−メタクリルアミドプロピル−Ｎ−（３−スルホプロピル）−アンモニウムベタインであり、且つ、前記カチオン性モノマーがジメチルアミノエチルアクリレート塩化メチル４級塩であることを特徴とする、請求項１に記載の高分子量水溶性ポリマー。
【請求項１４】
前記非イオン性モノマーがアクリルアミドであり、前記双性イオン性モノマーがＮ，Ｎ−ジメチル−Ｎ−メタクリルアミドプロピル−Ｎ−（３−スルホプロピル）−アンモニウムベタインであり、且つ、前記アニオン性モノマーが２−アクリルアミド−２−メチルプロパンスルホン酸ナトリウム塩であることを特徴とする、請求項１に記載の高分子量水溶性荷電ポリマー。
【請求項１５】
パルプ処理の際にパルプの定着性と繊維懸濁液の排水性を高める方法であり、凝集に有効な量の請求項１に記載の高分子量水溶性ポリマーをパルプに添加することを特徴とする方法。
【請求項１６】
更に、ベントナイト、合成粘土、微小粒子、又は樹脂エンハンサーをパルプに添加することを特徴とする、請求項１５に記載の方法。
【請求項１７】
更に、凝析剤をパルプに添加することを特徴とする、請求項１５に記載の方法。
【請求項１８】
製紙工程において、懸濁固体を除去し、白水を清澄にする方法であり、凝集に有効な量の請求項１に記載の高分子量水溶性ポリマーを白水、パルプ洗浄機、又は濃縮機に添加することを特徴とする方法。
【請求項１９】
紙料中の充填材定着性を高める方法であり、紙料に添加する前の充填材スラリーに、あらかじめ凝集に有効な量の請求項１に記載の高分子量水溶性ポリマーを添加することを特徴とする方法。